(57)【要約】【課題】ネットワークを活用して、求職・求人情報等の提供を容易にする。【解決手段】ネットワークに接続され、求職・求人情報専門サイトとなるサーバと、ネットワークに接続された各種のサイトとからなり、サーバには、インターフェース、制御システム及び各種データベースが格納され、インターフェースは、パソコン・携帯端末で閲覧可能であり、制御システムは、データベースを通じてインターフェースに求職・求人情報及びそれに関連した情報を常に更新して提供し、一方、サイトには、制御システムがサーバのインターフェースで提供される情報と同等の表示項目を提供することにより、ネットワークに開放されたインターフェースをサーバだけでなく各種のサイトにも設けたことを特徴とする全体システムを使用した求職・求人情報の提供システムである。【選択図】図１
2005316786.tif 000002
【特許請求の範囲】
【請求項１】
ネットワークに接続され、求職・求人情報専門サイトとなるサーバと、ネットワーク接続された各種のサイトとからなり、サーバには、インターフェース、制御システム、およびデータベースを設け、インターフェースは、ネットワークに開放され、パーソナルコンピュータ・携帯端末等で閲覧可能なインターフェースからなり、
一方、各種のサイトには、前記制御システムが、サーバのインターフェースに掲載された情報を掲載することにより、サーバと同じ情報が提供されるものであり、
求職・求人情報専門サイトのインターフェースに掲載された情報を、求職・求人情報専門サイトとなるサーバだけでなく、各種サイトの多数箇所に設けたことを特徴とする全体システムを使用した求職・求人情報の提供システム。
【請求項２】
ネットワークに接続され、求職・求人情報専門サイトとなるサーバと、ネットワーク接続された各種のサイトとからなり、サーバには、インターフェース、制御システム、およびデータベースを設け、インターフェースは、ネットワークに開放され、パーソナルコンピュータ・携帯端末等で閲覧可能なインターフェースからなり、
インターフェースには、求職・求人情報、キャリアアップ・スキルアップ情報等の必要な情報を掲載すると共に、メール配信登録ボタン、履歴書・職務経歴書応募、登録ボタン等を設け、
制御システムは、求職者・資格取得希望者機能制御システム、求人企業機能制御システム、利用者各種履歴制御システム、自社サイトへの募集情報・講座情報・セミナー情報・模擬試験情報等の提供制御システム、売上制御システム、応募ポイント制御システム、メール配信システム等からなり、
データベースは、求職者・資格取得希望者ＩＤ、パスワード、メールアドレスデータベース、求職者・資格取得希望者履歴書、職務経歴書、希望情報データベース、求人企業ＩＤ、パスワード、メールアドレスデータベース、求人企業情報データベース、募集情報、希望情報データベース、講座情報、希望情報データベース、利用者各種履歴データベース、売上データベース、応募ポイントデータベース等からなり、
前記制御システムは、データベースを通じてインターフェースに求人企業情報、講座情報等を常に更新して提供し、
一方、各種のサイトには、前記制御システムの各種サイトへの募集情報・講座情報・セミナー情報、模擬試験情報等の提供制御システムが、サーバのインターフェースに掲載された情報を掲載することにより、サーバと同じ情報が提供されるものであり、
求職・求人情報専門サイトのインターフェースに掲載された情報を、求職・求人情報専門サイトとなるサーバだけでなく、各種サイトの多数箇所に設けたことを特徴とする全体システムを使用した求職・求人情報の提供システム。
【請求項３】
請求項１および請求項２において、インターフェースに掲載された情報は、求職・求人情報専門サイトにおいて、一定の書式にしたがって、各種のサイト自身が登録したい情報を選択して記入できるものであることを特徴とする、
求職・求人情報専門サイトのインターフェースに掲載された情報を、求職・求人情報専門サイトとなるサーバだけでなく、各種サイトの多数箇所に設けたことを特徴とする全体システムを使用した求職・求人情報の提供システム。
【請求項４】
ネットワークに接続され、求職・求人情報専門サイトとなるサーバと、ネットワーク接続された各種のサイトとからなり、サーバには、インターフェース、制御システム、およびデータベースを設け、インターフェースは、ネットワークに開放され、パーソナルコンピュータ・携帯端末等で閲覧可能なインターフェースからなり、
一方、各種のサイトは、求職・求人情報専門サイトにアクセスし、求職・求人情報専門サイトにおいて、一定の書式にしたがって、各種のサイト自身が登録したい情報を選択して記入することにより、求職・求人情報専門サイトに登録すると共に、各種サイトのＷｅｂを構成するＨＴＭＬ文において、求職・求人情報専門サイトの当該登録情報にリンクを張ることにより、
求職・求人情報専門サイトのインターフェースに掲載された情報を、求職・求人情報専門サイトとなるサーバだけでなく、各種サイトの多数箇所に設けたことを特徴とする全体システムを使用した求職・求人情報の提供システム。
【請求項５】
ネットワークに接続され、求職・求人情報専門サイトとなるサーバと、ネットワーク接続された各種のサイトとからなり、サーバには、インターフェース、制御システム、およびデータベースを設け、インターフェースは、ネットワークに開放され、パーソナルコンピュータ・携帯端末等で閲覧可能なインターフェースからなり、
一方、各種のサイトは、求職・求人情報専門サイトにアクセスし、求職・求人情報専門サイトにおいて、一定の書式にしたがって、各種のサイト自身が登録したい情報を選択して記入することにより、求職・求人情報専門サイトに登録すると共に、各種サイトにも同じ情報を保存して、各種サイトのＷｅｂにおいても当該登録情報を表示できるようにすることにより、
求職・求人情報専門サイトのインターフェースに掲載された情報を、求職・求人情報専門サイトとなるサーバだけでなく、各種サイトの多数箇所に設けたことを特徴とする全体システムを使用した求職・求人情報の提供システム。
【発明の詳細な説明】
【技術分野】
【０００１】
本発明は、インターネット等のネットワークを活用して、求職・求人情報およびそれに関連した情報等を提供するシステムに関するものである。
【背景技術】
【０００２】
従来、企業は人材採用のために、紙媒体である新聞等への求人広告の掲載、求人情報誌等への求人広告掲載により求職者へ求人情報を提供するなどの手法を行ってきた。
また、近年発展してきたインターネット上に企業の自社サイトを開設し、その中に求人情報を掲載し、求職者へ求人情報を提供する手法も行われてきた。
一方、高等学校・短期大学・四年制大学・専門学校・スクール等の教育関連企業は、生徒募集のために、紙媒体である教育関連企業の生徒募集情報を掲載する雑誌へ生徒募集広告を掲載することにより資格取得希望者へ提供するなどの手法を行ってきた。また、看板等への生徒募集広告掲載による生徒募集情報の提供、テレビ・ラジオ等のマスメディアへのＣＭ等による生徒募集情報の提供なども行われてきた。さらにインターネット上にて自社サイトを開設し、その中に生徒募集情報を掲載することで生徒募集情報の提供が行われてきた。
【０００３】
しかし、従来の人材採用手段には次のような欠点がある。
新聞への求人広告掲載による求人情報提供は、新聞を購入する人を対象としており、ターゲットが絞りにくいという欠点がある。求人情報誌への求人広告掲載による求人情報提供は、求職者が情報を得るために書店等にて求人情報誌を購入しなければならず、非常に手間がかかる欠点がある。また、雑誌は求職者のみが購入するため、キャリアアップを検討しているような潜在求職者に求人情報を提供することができない欠点もある。
近年行われるようになった自社サイトへの求人情報掲載による求人情報提供は、サイトが無数にある現状の中で、ただ単に開設するだけではサイトをいちいち探さなければならないために見てもらう可能性は低く、そのためにそのサイト内に求人情報を掲載しても求職者に見てもらう可能性は低くなってしまう欠点がある。
一方、従来の生徒募集手段は次の欠点がある。
生徒募集広告を掲載する雑誌に生徒募集広告を掲載することによる生徒募集情報提供は、資格取得希望者が情報を得るために書店等にて雑誌を購入しなければならず、非常に手間がかかる欠点がある。また、雑誌は資格取得希望者のみが購入するため、スキルアップを検討しているような潜在資格取得希望者に生徒募集情報を提供することができない欠点がある。
また、看板等への生徒募集広告掲載による生徒募集情報提供、テレビ・ラジオ等のマスメディアへのＣＭ等による生徒募集情報提供は、告知したいターゲットが絞りにくく、費用対効果が非常に低い。従って高コストになってしまう欠点がある。
近年行われるようになった、自社サイトでの生徒募集情報提供は、サイトが無数にある現状の中で、ただ単に開設するだけではサイトをいちいち探さなければならないために見てもらう可能性は低く、そのためにそのサイト内に生徒募集情報を掲載しても資格取得希望者に見てもらえる可能性は非常に低くなってしまう欠点がある。
【０００４】
これらの欠点を解決するために、人材採用手段として近年発展してきたインターネット上に求人情報専門のサイトを開設して求人情報を提供し、そのサイトで応募を行う仕組みができた。
この求人情報専門のサイト開設による求人情報提供の仕組みは、企業の求人広告をサイト内で掲載して、求人情報を提供し、求職者がこのサイトを閲覧することにより求人情報を得て企業に応募を行うものである。企業はこの応募者に対して書類選考・面接等を行い、採用を決定する。これにより、新聞・求人情報誌の欠点である書店等にて雑誌等を購入しなければならないという問題点を、インターネットが接続される端末があればいつでもどこでも求人情報を得ることができることにより解決している。また、企業の自社サイト内に掲載されている求人情報をいちいち探さなければならないという問題点を、専門サイトを開設することにより１つのサイトを見れば多数の求人情報が得られることで解決している。
【非特許文献１】http://www.jobmail.co.jp/
【０００５】
また、生徒募集手段としてインターネット上に生徒募集情報専門のサイトを開設し、生徒募集情報を提供する仕組みができた。
生徒募集専門のサイト開設による生徒募集情報提供の仕組みは、教育関連企業の生徒募集広告をサイト内で掲載し、生徒募集情報を提供、教育関連企業に入学資料請求・入学申込を行うものである。これにより、雑誌への生徒募集広告掲載による生徒募集情報提供の欠点である書店等にて雑誌を購入しなければならないという問題を、インターネットが接続される端末があればいつでもどこでも生徒募集情報を得ることができることにより解決している。また、教育関連企業の自社サイト内に掲載される生徒募集情報をいちいち探さなければならないという問題点を、専門サイトを開設することにより１つのサイトを見れば多数企業の生徒募集情報が得られることで解決している。
【非特許文献２】http://www.licenseworld.co.jp/
【０００６】
しかし、前記した求人情報、生徒募集情報の専門サイトを開設しても、サイト内での情報を得ることはできるが、サイトが無数にある現状で、このサイト自体を見てもらう可能性は低く、そのために求人情報提供による応募、人材紹介の登録、生徒募集情報提供による入学資料請求・入学申込は低いという欠点がある。
その解決手段としてポータル・サイト等へのバナー広告掲載によるサイトの告知が行われているが、バナー広告はあくまで営業広告であり、サイトの宣伝に過ぎないという欠点がある。
【０００７】
また、リンクの拡大により、求人・求職専門サイトへのアクセス増大を図るシステムが提案されている。すなわち、求人・求職専門サイトへのアクセスは、既設の各種サイトあるいは各種ホームページにはられたリンクを介しても行え、そのアクセスで求職が具体化されたときに、アクセスのあったサイトあるいはホームページに対して一定の配当を与えることにより、リンクの拡大を図るシステムである。
【特許文献１】特開２００３−２９６６０２号
【０００８】
前記のリンク拡大システムは、リンクであるからして、複数のサイトあるいはホームページを移動するものであるが、移動することなく一つのホームページで必要情報を入手可能とするシステムも提案されている。すなわち、企業と企業の間を結ぶクローズドのサイトと、企業と消費者を結ぶオープンのサイトとに、互いに対応した書き込みページを設け、一方のサイトの特定のページに書き込まれた情報を他方のサイトの対応するページに自動的に転記し、他方のサイトからも閲覧可能としたことを特徴とする複数のサイトを相互に関連づけて同時に運営するシステムである。その際、クローズドのサイトからオープンのサイトに転記される情報が、求人・求職情報の如き個人への情報である。
【特許文献２】特開２００２−７３４０３号
【発明の開示】
【発明が解決しようとする課題】
【０００９】
本発明においては、一般会社、人材紹介会社、人材派遣会社、および高等学校・短期大学・四年制大学・専門学校・スクール等の教育関連企業は、以下、一括して求人企業という。
本発明が解決しようとする課題は、求人企業、および求職者・資格取得希望者に対して、Ｗｅｂから求職・求人情報、生徒募集情報、その他の情報を提供する際に、求職・求人手段としてネットワークをいかに効率よく活用するかという点である。
【課題を解決するための手段】
【００１０】
本発明は、前記課題を解決するために、ネットワークを活用し、求職・求人情報専門サイトを開設し、求職・求人情報、生徒募集情報、その他の情報を提供すると共に、その情報を提供すべきターゲットである求職者及び資格取得希望者のよく見る各種のサイトに求職・求人情報コーナー、生徒募集情報コーナー、その他の情報コーナーを開設することにより、各種のサイトにおいても求職・求人情報、生徒募集情報、その他情報を提供し、このコーナーにより求職者・資格取得希望者のデータベースを収集することを最も主要な特徴とする。
【発明の効果】
【００１１】
本発明は、ネットワークに解放されたインターフェースであるＷｅｂページを求職・求人情報専門サイトのサーバだけでなく各種のサイトの多数箇所に設けたことにより、（１）求職・求人情報専門サイトのサーバだけにＷｅｂページを設けた場合よりも遙かに多くの各種情報を収集することができる、（２）各種のサイトにおいても、ユーザーを呼び込むコーナーを設けることができるので、Ｗｅｂの閲覧頻度が上がる。そして、このような全体システムの結果、（３）求人企業は、採用したい求職者・潜在求職者に求人情報を提供し、また学校へ入校して欲しい資格取得希望者に生徒募集情報を提供することができると共に、確実に採用したい人材を紹介してもらえ、必要な応募数を確保するための告知が行われることにより採用の可能性が高くなる、また確実に学校に入校したい人材の資料請求数を確保するための告知が行われることにより、学校への入校の可能性が高くなる、（４）求職者・資格取得希望者は、求職・求人情報専門サイトのサーバ、および多数のサイトのどこにアクセスしても求人情報、生徒募集情報、その他情報等を得ることができ、さらに求職・求人情報専門サイトのサーバ、および多数のサイトを通じて求人企業へいつでも応募及び資料請求することができる。
【発明を実施するための最良の形態】
【００１２】
本発明の全体システムは、図１に図示したとおりのものであって、ネットワーク５に接続され、求職・求人情報専門サイトとなるサーバ１と、ネットワーク５に接続された各種のサイト６とからなり、サーバ１には、インターフェース２、制御システム３、およびデータベース４を設ける。
インターフェース２は、パーソナルコンピュータ（以下、パソコンという。）で閲覧可能なインターフェースＡ１、携帯端末等で閲覧で閲覧可能なインターフェースＡ２とからなり、これらのインターフェース２は、ネットワーク５に開放されて閲覧できるＷｅｂページからなる。インターフェース２であるＷｅｂページには、各種登録ボタンが設けられている。
一方、各種のサイト６には、サーバ１に登録された情報をＷｅｂページとして提供するものである。
本発明は、ネットワーク５に開放されたインターフェース２であるＷｅｂページに掲載された情報を、サーバ１だけではなく、各種サイト６の多数箇所（Ｓ１〜Ｓ４）に設けた全体システムにより実現したものである。
【００１３】
前記全体システムにおいて、求人企業は、ネットワーク５を介して、インターフェース２にアクセスし、企業情報、募集情報、講座情報等を一定の書式に従って登録する。
一方、求職者・資格取得希望者は、必要な求人情報、および生徒募集情報、その他情報を、求職・求人情報専門サイト（サーバ１）およびサイト６から得ることができることを特徴とする求人情報提供システムである。
【実施例１】
【００１４】
本発明の全体システムは、前記のように、図１に図示したとおりのものである。
先ず、求職・求人情報専門サイトとなるサーバ１には、インターフェース２および制御システム３、およびデータベース４を設ける。
インターフェース２は、パソコンで閲覧可能なインターフェースＡ１と、携帯端末・ＰＨＳ・ＰＤＡ等で閲覧可能なインターフェースＡ２とからなり、これらのインターフェース２は、ネットワーク５に開放されて閲覧できるＷｅｂページからなる。
インターフェース２であるＷｅｂページには、企業情報登録ボタン、各種情報登録ボタン、各種サイト掲載ボタン、サーバ１への掲載ボタン、求職者・資格取得希望者のＩＤ、パスワード、メールアドレス登録ボタン、履歴書、職務経歴書応募・登録ボタンが設けられる。
パソコンで閲覧可能なインターフェースＡ１のトップ画面例を図２に示す。
制御システム３は、求職者・資格取得希望者機能制御システムＢ１、求人企業機能制御システムＢ２、各種サイトへの募集情報・講座情報・セミナー情報・模擬試験情報等の提供制御システムＢ３、売上制御システムＢ４、応募ポイント制御システムＢ５、利用者各種履歴制御システムＢ６、各種サイト用ページジェネレーターＢ７からなる。
データベース４は、求職者・資格取得希望者ＩＤ、パスワード、メールアドレスデータベースＤ１、求職者・資格取得希望者履歴書、職務経歴書、希望情報データベースＤ２、求人企業ＩＤ、パスワード、メールアドレスデータベースＤ３、求人企業情報データベースＤ４、募集情報、希望情報データベースＤ５、講座情報、希望情報データベースＤ６、利用者各種履歴データベースＤ７、売上データベースＤ８、応募ポイントデータベースＤ９からなり、
制御システム３は、募集情報・講座情報・セミナー情報・模擬試験情報、その他情報の登録を受け付けると同時にデータベース４に蓄積し、インターフェース２であるＷｅｂページに常に更新して提供されるものである。
一方、求人企業は、ネットワーク５を介して、インターフェースＡ１においてログインすることにより、求人企業向けマイページが表示される。
求人企業用マイページの画面例を図３に示す。
図３の求人企業用マイページから、登録ボタン選択後に示される一定の書式に従った募集情報編集画面例を図４に示す。図４の一定の書式に従って記入し、表示・非表示の項目を選択する。
次に、制御システム３の各種サイト用ページジェネレーターＢ７が、各種サイト６専門の募集情報・講座情報・セミナー情報・模擬試験情報等を掲載するファイル（ファイル１）を自動作成し、サーバ１に保存し、また、サーバ１に接続し、募集情報・講座情報・セミナー情報・模擬試験情報等を提供するプログラムが書き込まれているファイル（ファイル２）を自動作成する。
ファイル１を使用する場合は、各種サイト６から求職・求人情報専門サイトにリンクさせることにより、ファイル２を使用する場合は、そのファイルを各種サイトにも情報提供するものである。
求職・求人情報専門サイトおよび各種サイト６に共通して表示する表示項目画面例を図５にしめす。
求職者・資格取得希望者が、インターフェースＡ１をしめす図２からログインし、求職者・資格取得希望者用マイページの画面例を図６に示す。
【実施例２】
【００１５】
次いで、実施例２は、実施例１の全体システムを使用し、求人企業がネットワーク５を介して、インターフェース２にアクセスし、各種サイトに掲載したい募集情報、講座情報、セミナー情報、模擬試験情報等を選択、インターフェース２に配置される各種サイト掲載ボタンをクリックすることで、各種サイト用ページジェネレーターＢ７が各種サイト専門の募集情報・講座情報・セミナー情報・模擬試験情報等を掲載するファイルを自動作成、サーバ１に保存する。求人企業は、自社サイト内の掲載したいページに表示するようにリンクさせ、選択した募集情報、講座情報、セミナー情報、模擬試験情報等の公開情報と求職者・資格取得希望者のＩＤ、パスワードや履歴書、職務経歴書等の非公開情報を、あたかも自社サイトのページであるかのように表示するものである。
【００１６】
具体的には、以下のとおりである。
例えば、各種サイト６において、求人企業の自社サイトＳ１のＵＲＬが
http://www.123.jp  であり、求職・求人情報専門サイトのサーバ１のＵＲＬが
http://www.ABC.jp  とする。
上記のＵＲＬはあくまで１つの例であり、取得するドメイン、サービス内容、組織形態により、変化する。
（１）求人企業は、ネットワーク５を介して、インターフェース２にアクセスし、募集情報、講座情報、セミナー情報、模擬試験情報等を登録、自社サイトに掲載したい情報を選択する。次に自社サイト独自のフォーマット、デザインがされているテンプレート（ＨＴＭＬなど）があれば、サーバ１に保存する。
（２）各種サイト掲載ボタンをクリックすると、各種サイトへの募集情報・講座情報・セミナー情報・模擬試験情報等の提供制御システムＢ３が自社サイトに掲載する情報ということで、募集情報、希望情報データベースＤ５、講座情報、希望情報データベースＤ６に保存する。同時に、各種サイト用ページジェネレーターＢ７が、募集情報、希望情報データベースＤ５、講座情報、希望情報データベースＤ６に接続、またサーバ１に保存された自社サイト独自のフォーマット、デザインがされているテンプレートを呼び込み、サーバ１のインターフェース２から提供される情報と同等の表示項目をｂｏｄｙ構文中に持ち、且つ自社サイトのフォーマット、デザインがされているＨＴＭＬ等のファイルを自動作成し、求人企業がＩＤ、パスワード発行時に表示されたＵＲＬ、例えば  http://www.ABC.jp/001/jisha.html  にてサーバ１に保存する。
自社サイト独自のテンプレートがない場合は、サーバ１に保存されている標準テンプレートにより、自動作成される。
求人企業は、自社サイト内の募集情報・講座情報・セミナー情報・模擬試験情報等を掲載したいページに表示するよう、 http://www.ABC.jp/001/jisha.html  にリンクさせる。
（３）求職者・資格取得希望者は、求人企業の自社サイトＳ１のＵＲＬ  http://www.123.jpを指定し、募集情報・講座情報・セミナー情報・模擬試験情報等が提供されているコーナーのボタンを押すと、リンク先として指定されている  http://www.ABC.jp/001/jisha.html  （サーバ１内）に飛び、各種サイト専門の募集情報・講座情報・セミナー情報・模擬試験情報等の公開情報と、求職者・資格取得希望者のＩＤ、パスワードや、履歴書、職務経歴書等の非公開情報等をＷｅｂページとして表示する。
求職者・資格取得希望者はサーバ１に接続されているということを意識することなく、あたかも自社サイトを閲覧しているかのように表示する。
【実施例３】
【００１７】
次いで、実施例３は、実施例１の全体システムを使用して、求人企業がネットワーク５を介して、インターフェース２にアクセスし、各種サイトに掲載したい募集情報、講座情報、セミナー情報、模擬試験情報等を選択、インターフェース２に配置される各種サイト掲載ボタンをクリックすることで、各種サイト用ページジェネレーターＢ７がサーバ１に接続し、募集情報・講座情報・セミナー情報・模擬試験情報等を提供するプログラムが書き込まれているファイルを自動作成する。求人企業は、自社サイトの中で募集情報・講座情報・セミナー情報・模擬試験情報等を提供したいページに保存すると募集情報・講座情報・セミナー情報・模擬試験情報等の公開情報、求人企業のＩＤ、パスワードや求人企業の企業情報等と、求職者・資格取得希望者のＩＤ、パスワードや履歴書、職務経歴書等の非公開情報を、あたかも自社サイトのページであるかのように表示するのものである。
【００１８】
具体的には、以下のとおりである。
例えば、各種サイト６において、求人企業の自社サイトＳ１のＵＲＬが
http://www.123.jp  であり、求職・求人情報専門サイトのサーバ１のＵＲＬが
http://www.ABC.jp  とする。
上記のＵＲＬはあくまで一つの例であり、取得するドメイン、サービス内容、組織形態により、変化する。
（１）求人企業は、ネットワーク５を介して、インターフェース２にアクセスし、募集情報、講座情報、セミナー情報、模擬試験情報等を登録、自社サイトに掲載したい情報を選択する。次に自社サイト独自のフォーマット、デザインがされているテンプレート（ＨＴＭＬなど）があれば、サーバ１に保存する。
（２）各種サイト掲載ボタンをクリックすると、各種サイトへの募集情報・講座情報・セミナー情報・模擬試験情報等の提供制御システムＢ３が自社サイトに掲載する情報ということで、募集情報、希望情報データベースＤ５、講座情報、希望情報データベースＤ６に保存する。同時に、各種サイト用ページジェネレーターＢ７が、募集情報、希望情報データベースＤ５、講座情報、希望情報データベースＤ６に接続、またサーバ１に保存された自社サイト独自のフォーマット、デザインがされているテンプレートを呼び込み、サーバ１に接続するＵＲＬとサーバ１の制御システムを作動させるプログラム、例えば具体例として、  http://www.ABC.jp/F?K001=123/  が書き込まれ、且つ自社サイトのフォーマット、デザインがされているＨＴＭＬ等のファイルを自動作成する。
自社サイト独自のテンプレートがない場合は、サーバ１に保存されている標準テンプレートにより、自動作成される。
求人企業は、このファイルを自社サイト内の募集情報・講座情報・セミナー情報・模擬試験情報等を表示したいところ、例えば、  http://www.123.jp/kyujin.html  として保存する。
（３）求職者・資格取得希望者がボタンを押して、  http://www.123.jp/kyujin.html  を指定すると、このページが開くと共に、このページのＨＴＭＬのｂｏｄｙ構文にある制御システム３を作動させるプログラム、http://www.ABC.jp/F?K001=123/  が作動する。
このプログラムがサーバ１に接続すると同時に、サーバ１の制御システム３の各種サイトへの募集情報・講座情報・セミナー情報・模擬試験情報等の提供制御システムＢ３を作動させ、募集情報、希望情報データベースＤ５、講座情報、希望情報データベースＤ６に接
続し、サーバ１にインターフェース２で提供される情報と同等の表示項目を持つＨＴＭＬとして  http://www.123.jp/kyujin.html  のページ中に、公開情報として指定された募集情報・講座情報・セミナー情報・模擬試験情報等を表示する。
サーバ１への接続方法、情報の提供方法としては、cgi、jsp、asp、html、XML、ActiveX、Java（登録商標）アプレット、フラッシュ（Flash）などさまざまある。
（４）また、サイト６では、自社サイトに掲載したいと選択された公開情報とあわせて、ＩＤ、パスワード等で制限されている非公開情報も  http://www.123.jp/kyujin.html  のページ中に表示する。
【実施例４】
【００１９】
次いで、実施例４は、実施例１の全体システムを使用して、求人企業は、ネットワーク５を介して、インターフェース２にアクセスし、企業情報、募集情報、講座情報、セミナー情報、模擬試験情報等を登録し、さらに、その他の掲載したい情報を登録できる。そして、自社サイトに掲載したい情報を選択し、各種サイト掲載ボタンをクリックすると、各種サイト用ページジェネレーターＢ７が作動し、求人企業専門の募集情報・講座情報・セミナー情報・模擬試験情報等を掲載するファイル（ファイル１）を自動作成、サーバ１に保存する。また、サーバ１に接続し、募集情報・講座情報・セミナー情報・模擬試験情報等を提供するプログラムが書き込まれているファイル（ファイル２）を自動作成する。求人企業は、ファイル１を使用する場合、自社サイトからそのファイルにリンクさせ、ファイル２を使用する場合は、自社サイトに保存することで、サーバ１と各種サイト６両方またはどちらか一方に情報提供するものである。
【００２０】
その工程は、以下のとおりである。
（１）求人企業はＰＣＦを活用し、ネットワーク５を介して、インターフェース２のパソコンで閲覧可能なインターフェースＡ１、携帯端末で閲覧可能なインターフェースＡ２にアクセスし、「法人のお客様へ」というボタンをクリックする。すると求人企業機能制御システムＢ２が作動し、募集社会員登録ページが開く。このページに、企業情報、管理者情報を入力、企業情報登録ボタンをクリックすると求人企業機能制御システムＢ２が作動し、求人企業ＩＤ、パスワード、メールアドレスデータベースＤ３、求人企業情報データベースＤ４に保存、企業毎にＩＤ、パスワードが発行され、マイページが登録される。さらに、後述する求人企業専門の募集情報・講座情報・セミナー情報・模擬試験情報等を提供するファイル（ファイル１）へのリンク先ＵＲＬが表示される。リンク先ＵＲＬは、後述するファイル１、ファイル２が作成された後に表示されるケースも考えられる。
以上の手順で行う求人企業の登録フローチャートを図７に示す。
（２）求人企業は、インターフェース２のパソコンで閲覧可能なインターフェースＡ１、携帯端末で閲覧可能なインターフェースＡ２に、発行されたＩＤ、パスワードを入力し、ログインボタンをクリックする。するとマイページが開き、募集情報・講座情報・セミナー情報・模擬試験情報等を入力、各種情報登録ボタンをクリックすると求人企業機能制御システムＢ２が作動し、募集情報、希望情報データベースＤ５、講座情報、希望情報データベースＤ６に保存される。
以上の手順で求人企業が行う募集情報・講座情報・セミナー情報・模擬試験情報の登録フローチャートを図８、図９に示す。
（３）自社サイトで情報提供する場合は、上記のマイページから自社サイトに掲載したい募集情報・講座情報・セミナー情報・模擬試験情報等を選択し、枠購入ページから自社掲載を選択する。
次に求人企業の自社サイト独自のフォーマット、デザインがされているページがあれば、サーバ１に保存する。自社サイト独自のページは自社で作成するだけでなく、専門の業者に作成させてもよい。
そして、各種サイト掲載ボタンをクリックすると、各種サイトへの募集情報・講座情報・セミナー情報・模擬試験情報等の提供制御システムＢ３が作動し、募集情報、希望情報データベースＤ５、講座情報、希望情報Ｄ６に保存される。同時に、各種サイト用ページジェネレーターＢ７が作動し、求人企業専門の募集情報・講座情報・セミナー情報・模擬試験情報等を掲載するファイル（ファイル１）を自動作成、サーバ１に保存する。また、サーバ１に接続し、募集情報・講座情報・セミナー情報・模擬試験情報等を提供するプログラムが書き込まれているファイル（ファイル２）を自動作成する。
ファイル１を使用する場合は、求人企業のＩＤ、パスワード発行時に表示されたファイル１へのリンク先ＵＲＬを自社サイト内の掲載したいページに表示するようにリンクさせる。ファイル２を使用する場合は、そのページをダウンロードし、自社サイトへのサーバへ保存させる。
以上の手順で行う自社サイトへの掲載フローチャートを図１０、図１１に示す。
（４）また、サーバ１で情報提供する場合は、前記のマイページから、サーバ１にて情報提供したい情報を選択し、枠購入による広告掲載を選択、サーバ１への掲載ボタンをクリックすると求人企業機能制御システムＢ２が作動し、募集情報、希望情報データベースＤ５、講座情報、希望情報データベースＤ６に保存され、インターフェース２にて情報提供される。
この情報提供の対価は、掲載期間による掲載料、応募数による成功報酬料金などが考えられる。さらに、応募ポイントデータベースＤ９に保存されている求人企業へのポイントを活用し、１ポイント当たりいくらかの金額を値引きする方法もある。自社サイトで募集情報・講座情報・セミナー情報・模擬試験情報を掲載し、集まった応募数のポイントを活用、サーバ１にて情報提供する際の対価を安価にする手法である。
以上の手順で行うサーバ１での掲載対価のフローチャートを図１２、図１３に示す。
【実施例５】
【００２１】
また、実施例５は、実施例１の全体システムを使用して、求職者・資格取得希望者は、必要な募集情報・講座情報・セミナー情報・模擬試験情報等を各種サイト６から得ることができ、そして、各種サイト６を通じて、履歴書、職務経歴書応募・登録ボタンをクリックすることにより前記制御システム３の求職者・資格取得希望者機能制御システムＢ１が、履歴書・職務経歴書を受け付けると共に、データベース４の求職者・資格取得希望者履歴書、職務経歴書、希望情報データベースＤ２に保存される。さらに、利用者各種履歴データベースＤ７に保存、または、ネットワーク５を通じてメールにて配信されるものである。
【００２２】
その工程は、以下のとおりである。
（１）求職者・資格取得希望者は、ＰＣＡ〜Ｄを活用し、ネットワーク５を介して各種サイト６にアクセスして、募集情報・講座情報・セミナー情報・模擬試験情報コーナーを選択する。前記のファイル１を使用している求人企業のコーナーの場合は、サーバ１に飛び、募集情報・講座情報・セミナー情報・模擬試験情報等を表示、その表示された情報を閲覧し、応募や資料請求等をしたい情報があったら、履歴書、職務経歴書応募・登録ボタンをクリックすると求職者・資格取得希望者機能制御システムＢ１が作動する。ファイル２を使用している求人企業のコーナーの場合は、各種サイトへの募集情報・講座情報・セミナー情報・模擬試験情報等の提供制御システムＢ３が作動し、募集情報・講座情報・セミナー情報・模擬試験情報等を表示する。この表示された情報を閲覧し、応募や資料請求等をしたい情報があったら、履歴書・職務経歴書応募・登録ボタンをクリックすると、サーバ１に飛び、求職者・資格取得希望者機能制御システムＢ１が作動する。
（２）次に、ログイン必要ページが開き、希望のＩＤ、パスワード、メールアドレスを入力、求職者・資格取得希望者ＩＤ、パスワード、メールアドレス登録ボタンをクリックすると求職者・資格取得希望者ＩＤ、パスワード、メールアドレスデータベースＤ１に保存される。
次いで、応募フォームページが開き、このフォームに必要事項を入力し、履歴書、職務経歴書応募・登録ボタンをクリックすると求職者・資格取得希望者機能制御システムＢ１が作動し、求職者・資格取得希望者履歴書、職務経歴書、希望情報データベースＤ２に保存すると同時に、利用者各種履歴制御システムＢ６が作動し、利用者各種履歴データベースＤ７に保存、またはメールにて履歴書・職務経歴書が送信される。さらに、応募ポイント制御システムＢ５が作動し、応募ポイントデータベースＤ９にポイントを加算して求人企業のポイントとして保存される。
以上の手順で行う求職者・資格取得希望者の登録・応募フローチャートを図１４、図１５に示す。
【産業上の利用可能性】
【００２３】
以上のように本発明は、ネットワーク５に解放されたインターフェース２であるＷｅｂページを求職・求人情報専門サイトとなるサーバ１だけでなく、各種のサイト６（Ｓ１〜Ｓ４）の多数箇所に設けたことにより、（１）求職・求人情報専門サイトとなるサーバ１だけにＷｅｂページを設けた場合よりも遥かに多くの募集情報・講座情報・セミナー情報・ 模擬試験情報を発信することができ、また遥かに多くの求職者・資格取得希望者の情報をデータベースに収集することができる。
（２）各種のサイト６（Ｓ１〜Ｓ４）もユーザーを呼び込むコーナーを設けることができるので、Ｗｅｂの閲覧頻度が上がる。
そして、このような全体システムの結果、（３）求人企業は、採用したい求職者・潜在求職者に求人情報を提供、また、学校に入校して欲しい資格取得希望者に生徒募集情報を提供することができると共に、確実に採用したい人材を紹介してもらえ、必要な応募数を確保するための告知が行われることにより作用の可能性が高くなる。また、確実に学校へ入校したい人材の資料請求数を確保するための告知が行われることにより入校の可能性が高くなる。（４）求職者・資格取得希望者は、求職・求人情報専門サイトのサーバ、および多数のサイトのどこにアクセスしても求人情報、生徒募集情報、その他情報等を得ることができ、さらに求職・求人情報専門サイトのサーバ、および多数のサイトを通じて求人企業へいつでも応募及び資料請求することができる。
さらに、（５）求人企業において、Ｗｅｂページの更新等の管理が容易になる。そのうえに、（６）ネットワークを活用した人材の流動化の支援を行うことができる。
本発明は、以上のような種々の用途に利用できるものである。
【図面の簡単な説明】
【００２４】
【図１】本発明の全体システムを示す概略図である。
【図２】求職・求人情報専門サイトのトップ画面例を示す説明図である。
【図３】トップ画面からログイン後の求人企業用マイページ画面例を示す説明図である。
【図４】求人企業用マイページから登録ボタン選択後に示される一定の書式に従った募集情報編集画面例を示す説明図である。
【図５】求職・求人情報専門サイトにおいて掲載される募集情報詳細画面例を示す説明図である。
【図６】求職者・資格取得希望者用マイページを示す説明図である。
【図７】求人企業が行うフロー１の１を示す説明図である。
【図８】求人企業が行うフロー１の２を示す説明図である。
【図９】求人企業が行うフロー１の３の続きを示す説明図である。
【図１０】求人企業が行うフロー１の４を示す説明図である。
【図１１】求人企業が行うフロー１の５を示す説明図である。
【図１２】求人企業が行うフロー２の１を示す説明図である。
【図１３】求人企業が行うフロー２の２を示す説明図である。
【図１４】求職者・資格取得希望者が行うフロー３の１を示す説明図である。
【図１５】求職者・資格取得希望者が行うフロー３の２を示す説明図である。
【符号の説明】
【００２５】
１    求職・求人情報専門サイトとなるサーバ
２    インターフェース
３    制御システム
４    データベース
５    ネットワーク（インターネット）
６    各種サイト
７    求職者・資格取得希望者のパソコン・携帯端末
８    求人企業のパソコン・携帯端末
Ａ１  パソコンで閲覧可能なインターフェース
Ａ２  携帯端末で閲覧可能なインターフェース
Ｂ１  求職者・資格取得希望者機能制御システム
Ｂ２  求人企業機能制御システム
Ｂ３  各種サイトへの募集情報・講座情報・セミナー情報・模擬試験情報等の提供制御システム
Ｂ４  売上制御システム
Ｂ５  応募ポイント制御システム
Ｂ６  利用者各種履歴制御システム
Ｂ７  各種サイト用ページジェネレーター
Ｄ１  求職者・資格取得希望者ＩＤ、パスワード、メールアドレスデータベース
Ｄ２  求職者・資格取得希望者履歴書、職務経歴書、希望情報データベース
Ｄ３  求人企業ＩＤ、パスワード、メールアドレスデータベース
Ｄ４  求人企業情報データベース
Ｄ５  募集情報、希望情報データベース
Ｄ６  講座情報、希望情報データベース
Ｄ７  利用者各種履歴データベース
Ｄ８  売上データベース
Ｄ９  応募ポイントデータベース
Ｅ１  求職・求人情報専門サイトのシステム担当者
ＰＣＡ〜ＰＣＥ  求職者・資格取得希望者のパソコン・携帯端末等
ＰＣＦ  求人企業のパソコン、携帯端末等
ＰＣ１  サイトのシステム担当者のパソコン・携帯端末等
Ｓ１  パソコンで閲覧可能な求人企業の自社サイト
Ｓ２  携帯端末で閲覧可能な求人企業の自社サイト
Ｓ３  パソコンで閲覧可能な検索サイト、ポータルサイト、ニュースサイト、その他サイト
Ｓ４  携帯端末で閲覧可能な検索サイト、ポータルサイト、ニュースサイト、その他サイト
【図１】
2005316786.tif 000003
【図２】
2005316786.tif 000004
【図３】
2005316786.tif 000005
【図４】
2005316786.tif 000006
【図５】
2005316786.tif 000007
【図６】
2005316786.tif 000008
【図７】
2005316786.tif 000009
【図８】
2005316786.tif 000010
【図９】
2005316786.tif 000011
【図１０】
2005316786.tif 000012
【図１１】
2005316786.tif 000013
【図１２】
2005316786.tif 000014
【図１３】
2005316786.tif 000015
【図１４】
2005316786.tif 000016
【図１５】
2005316786.tif 000017